(57)【要約】【課題】    一旦巾木が取り付けられた状態であっても、生じた隙間を塞ぐ手段を提供することを提供すること。【解決手段】      壁材１の下端部分に設けられ、床材３と壁材１との見切り部分を被装する巾木２を固定する巾木２の固定構造であって、該巾木２は床材３との間に隙間４が設けられるように固定され、該隙間４の前側には補助巾木５を設け同隙間４を被装し、該補助巾木５は、巾木２の下部表面に当接される帯板状の補助巾木本体５１に、補助巾木本体５１の下端部分に該補助巾木本体５１の長手方向略全長に亘って形成され、補助巾木本体５１表面側斜め下方に向け傾斜するように設けられる軟質材からなる舌片５２と、該補助巾木本体５１の裏面に突設され該隙間４に挿入される挿入係止片５３とを有し、該舌片５２を床材３の上面に当接させてなる巾木２の固定構造及び補助巾木５である。【選択図】図１
2005256522.tif 000002
【特許請求の範囲】
【請求項１】
巾木と床材との見切り部分に設けられる補助巾木であって、巾木の下部表面に当接される帯板状の補助巾木本体に、補助巾木本体の下端部分に該補助巾木本体の長手方向略全長に亘って形成され、補助巾木本体表面側斜め下方に向け傾斜するように設けられる軟質材からなる舌片と、該補助巾木本体の裏面に突設され該隙間に挿入される挿入係止片とを有する補助巾木。
【請求項２】
挿入係止片を補助巾木本体の下端に設けたことを特徴とする請求項１記載の補助巾木。
【請求項３】
補助巾木本体と舌片とを連続したシート形状となしたことを特徴とする請求項１又は２のいずれかに記載の補助巾木。
【請求項４】
挿入係止片を隙間内に圧縮し挿入可能としたことを特徴とする請求項１から３のいずれか一つに記載の補助巾木。
【請求項５】
壁材の下端部分に設けられ、床材と壁材との見切り部分を被装する巾木を固定する巾木の固定構造であって、該巾木は床材との間に隙間が設けられるように固定され、該隙間の前側には補助巾木を設け同隙間を被装し、該補助巾木は、巾木の下部表面に当接される帯板状の補助巾木本体に、補助巾木本体の下端部分に該補助巾木本体の長手方向略全長に亘って形成され、補助巾木本体表面側斜め下方に向け傾斜するように設けられる軟質材からなる舌片と、該補助巾木本体の裏面に突設され該隙間に挿入される挿入係止片とを有し、該舌片を床材の上面に当接させてなる巾木の固定構造。
【発明の詳細な説明】
【技術分野】
【０００１】
本発明は、住宅等の内装に用いられる巾木に対し、補助的に用いられる補助巾木及び補助巾木を取りつけた巾木の固定構造に関するものである。
【背景技術】
【０００２】
住宅内装の壁と床との見切り部分に巾木を取りつけ、該見切り部分を化粧することが一般に行われている。しかし例えば床を載置している下地床に不陸が生じている場合など、床表面の位置は微妙に上下している。そのため巾木の下端と床との取り合いがうまく行かず、隙間が大きく生じたりすることがあった。
【０００３】
この問題を解決するために、以前から巾木の下端に軟質樹脂からなる隙間被装片を設け、床表面に当接させることで、隙間の大小に関わらず隙間を塞ぐことができるものを用いている。例えば特許文献１等。
【０００４】
しかし、このような巾木を用いる場合はまだ少なく、巾木を床表面にほぼ隙間無く固定することが殆どであった。一方、近年の床防音性能の向上要望により、床材の裏面側にクッション材を設け、軽衝撃音などの軽減が行なわれているが、使用状態によっては、家具などの重みや経年劣化で床が当初より沈み込んでしまうことがある。このような場合にも対応可能な解決手段の提供が望まれていた。
【特許文献１】実開平４−１６２３３号公報
【発明の開示】
【発明が解決しようとする課題】
【０００５】
本願発明は、上記背景技術に鑑みて発明されたものであり、その課題は、一旦巾木が取り付けられた状態であっても、生じた隙間を塞ぐ手段を提供することである。
【課題を解決するための手段】
【０００６】
上記課題を解決するために、本願発明は、巾木と床材との見切り部分に設けられる補助巾木であって、巾木の下部表面に当接される帯板状の補助巾木本体に、補助巾木本体の下端部分に該補助巾木本体の長手方向略全長に亘って形成され、補助巾木本体表面側斜め下方に向け傾斜するように設けられる軟質材からなる舌片と、該補助巾木本体の裏面に突設され該隙間に挿入される挿入係止片とを有する補助巾木としている。
【０００７】
また、上記に加え、挿入係止片を補助巾木本体の下端に設けたり、補助巾木本体と舌片とを連続したシート形状となしたり、挿入係止片を隙間内に圧縮し挿入可能としている。
【０００８】
また、壁材の下端部分に設けられ、床材と壁材との見切り部分を被装する巾木を固定する巾木の固定構造であって、該巾木は床材との間に隙間が設けられるように固定され、該隙間の前側には補助巾木を設け同隙間を被装し、該補助巾木は、巾木の下部表面に当接される帯板状の補助巾木本体に、補助巾木本体の下端部分に該補助巾木本体の長手方向略全長に亘って形成され、補助巾木本体表面側斜め下方に向け傾斜するように設けられる軟質材からなる舌片と、該補助巾木本体の裏面に突設され該隙間に挿入される挿入係止片とを有し、該舌片を床材の上面に当接させてなる巾木の固定構造とするものである。
【発明の効果】
【０００９】
本願発明の請求項１に係る補助巾木においては、巾木と床材の見切り部分に生ずる隙間に補助巾木の挿入係止片を挿入し補助巾木を見切り部分の前側に設け、隙間を被装することで、経年変化で生ずるような隙間を、後からでも被装し隠すことが可能となる。
【００１０】
また、請求項２に係る補助巾木においてはさらに、補助巾木を床材表面に載置してから隙間に挿入することができ、より簡単に施工することが可能となる。
【００１１】
また、請求項３に係る補助巾木においてはさらに、巾木表面からの突出量が全体として減るので、補助巾木が目立ちにくくなる。
【００１２】
また、請求項４に係る補助巾木においてはさらに、補助巾木の挿入係止片を隙間に押し込んだ際に、隙間内で圧縮された部分が膨らむので外れにくくなるとともに、隙間の大きさが取りつけ範囲で増減する場合でも対応が可能となる。
【００１３】
また、本願発明の請求項５に係る巾木の固定構造においては、補助巾木を用いた巾木の固定構造とすることで、巾木と床材との見切り部分の隙間を簡単に被装し目立たなくすることが可能となる。
【発明を実施するための最良の形態】
【００１４】
本願発明の最良の形態を図１及び図２に示される以下の実施例にて説明する。なお、図１は補助巾木を用いた巾木の固定構造を示す断面図を、図２は補助巾木の断面図をそれぞれ示している。
【００１５】
本実施例では、図１に示すように、壁材１の下端部分に設けられ、床材３と壁材１との見切り部分を被装する巾木２を固定する巾木２の固定構造であって、該巾木２は床材３との間に隙間４が設けられるように固定され、該隙間４の前側には補助巾木５を設け同隙間４を被装し、該補助巾木５は、巾木２の下部表面に当接される帯板状の補助巾木本体５１に、補助巾木本体５１の下端部分に該補助巾木本体５１の長手方向略全長に亘って形成され、補助巾木本体５１表面側斜め下方に向け傾斜するように設けられる軟質材からなる舌片５２と、該補助巾木本体５１の裏面に突設され該隙間４に挿入される挿入係止片５３とを有し、該舌片５２を床材３の上面に当接させてなる巾木２の固定構造としている。
【００１６】
該巾木２は、樹脂や木質繊維板の表面に化粧シートを貼着し構成されている。また、巾木２の固定は一般に隠し釘２２と呼ばれるもので行なわれるが、巾木２表面で目立たぬように、巾木２には凹所２１が形成され、該凹所２１に隠し釘２２を打ち込むことで行なわれる。
【００１７】
また、本実施例では図２（ａ）に示すような、巾木２と床材３との見切り部分に設けられる補助巾木５であって、巾木２の下部表面に当接される帯板状の補助巾木本体５１に、補助巾木本体５１の下端部分に該補助巾木本体５１の長手方向略全長に亘って形成され、補助巾木本体５１表面側斜め下方に向け傾斜するように設けられる軟質材からなる舌片５２と、該補助巾木本体５１の裏面に突設され該隙間４に挿入される挿入係止片５３とを有する補助巾木５を用いている。
【００１８】
またこの補助巾木５は、挿入係止片５３を補助巾木本体５１の下端に設け、挿入係止片５３を隙間４内に圧縮し挿入可能としている。なお、挿入係止片５３は図２（ａ）のものでは、長手方向全長に亘って形成されているが、適宜間隔で断続的に形成されていてもよい。
【００１９】
なおこのものでは、樹脂を主成分とする補助巾木本体５１の下端面に軟質材からなる舌片５２を、表面が滑らかに連続して形成されるようになされている。そして、補助巾木本体５１の裏面に挿入係止片５３を設けている。なお、補助巾木本体５１の材質は、特に限定されることは無く、種々の材料、例えば木質系の繊維板を利用してもよい。もちろん舌片５２と同じ軟質材を用いることも考えられる。
【００２０】
また、補助巾木５の補助巾木本体５１上端部分は、斜め下方方向に形成され、巾木２表面から滑らかに連続するようにしている。
【００２１】
一方、補助巾木５として図２（ｂ）に示すように、補助巾木本体５１と舌片５２とを連続したシート形状として、突出量を抑え、取りつけ状態で目立たなくするようにしてもよい。このものでは、補助巾木本体５１と舌片５２とを一体に、いわゆる二色成形を用いて形成している。なお、この補助巾木５の挿入係止片５３は、断続的に形成されていが、もちろん連続に形成されていても構わない。
【００２２】
ところで挿入係止片５３は、隙間４内に圧縮し挿入可能とされている。これは隙間４内で挿入係止片５３が抜けにくくできることの他に、隙間４の大きさが全長に亘って同一であればよいが、隙間４が変化する場合でも、隙間４内で挿入係止片５３が隙間４の大きさに応じて復元し、該隙間４に確実に係合することができる。また隙間４が経時変化で徐々に大きく、又は少なくなる場合があっても、追従し復元、又は圧縮されるので抜けることは無い。
【００２３】
このような挿入係止片５３は特に図示していないが、例えば硬い素材の芯材を補助巾木本体５１の裏面に突設し、該芯材の方側面又は両側面にクッション材などの弾性材を設けたものにより構成することができる。そして該芯材部分が挿入係止片５３の下端面に位置するようにすれば、弾性材の挿入時の抵抗が両側面に弾性材を設ける場合に比べ少なく、挿入がしやすい。
【図面の簡単な説明】
【００２４】
【図１】本願発明の実施形態である巾木の固定構造を示した断面図である。
【図２】本願発明の実施形態である補助巾木を示した断面図である。
【符号の説明】
【００２５】
１  壁材
２  巾木
２１  凹所
２２  隠し釘
３  床材
４  隙間
５  補助巾木
５１  補助巾木本体
５２  舌片
５３  挿入係止片
【図１】
2005256522.tif 000003
【図２】
2005256522.tif 000004